【事件の表示】
　特願２００４−５５３０９９「空気浄化装置」拒絶査定不服審判事件〔平成１６年　６月　３日国際公開、ＷＯ２００４／０４５６６０〕について、次のとおり審決する。
【結　論】
　本件審判の請求は、成り立たない。
【理　由】
１　手続の経緯
　本願は、２００２年１１月１５日を国際出願日とする出願であって、平成１７年３月２５日付け手続補正書の提出がなされ、平成２０年５月２９日付けの拒絶理由の通知がなされ、これに対して、同年８月８日付けで意見書及び手続補正書の提出がなされ、平成２１年１１月３０日付けで拒絶査定がなされ、同年１２月２８日に拒絶査定不服審判が請求されるとともに同日付けの手続補正書の提出がなされ、当審において、平成２３年１１月１７日付けの拒絶理由（以下「当審拒絶理由」という。）の通知がなされ、これに対して、平成２４年１月１６日付けで意見書及び手続補正書の提出がなされたものである。
　
　
２　本願発明
　本願の請求項１ないし７に係る発明は、平成２４年１月１６日付け手続補正書により補正された特許請求の範囲の請求項１ないし７に記載された事項により特定されるとおりのものであるところ、その請求項１に係る発明（以下「本願発明」という。）は、次のとおりのものであると認める。
　
「【請求項１】　空気が内部を通過することのできる浄化室と、
　前記浄化室に隣接する気流発生手段収容室と、
　前記浄化室内に設けられた紫外線光源と、
　前記浄化室内に空気を通過させることによって前記浄化室内に気流を発生させるための、前記気流発生手段収容室内に設けられた気流発生手段と、
　光触媒機能を有し、且つ、前記浄化室に収容されて前記気流により変位可能な光触媒粒体と、を備え、
　前記浄化室と前記気流発生手段収容室との間はメッシュ材によって間仕切られており、
　前記気流発生手段収容室と装置外部は、前記メッシュ材に対向配置されたフィルタによって間仕切られており、
　前記気流発生手段は、前記気流発生手段収容室内において前記メッシュ材と前記フィルタとの間に配設されており、
　前記光触媒粒体は、担体粒子と、当該担体粒子に固定された光触媒物質と、を含み、
　前記光触媒物質は、カルシウムハイドロキシアパタイトのＣａの一部がＴｉで置換された化学構造を有する光触媒アパタイトであ
り、且つ、
　
前記浄化室の内壁面には、光反射膜が設けられてい
　
　
３　引用刊行物
　当審拒絶理由において引用した本願の出願前に日本国内において頒布された刊行物である（１）特開２０００−２０２０１６号公報、（２）特開２０００−１４０６８８号公報、（３）特開昭６３−７７５５７号公報、（４）特開２００２−２１０３３３号公報、（５）特開平６−２１８２３４号公報、及び、（６）特開２０００−３２７３１５号公報には、それぞれ図面とともに以下のとおりの事項が記載されている。
　
（１）特開２０００−２０２０１６号公報（以下「引用例１」という。）
（１ａ）「【特許請求の範囲】
【請求項１】  紫外線を照射する光源と前記光源からの紫外線により空気中の臭気成分を脱臭する触媒作用を有する光触媒を含む脱臭粒子と前記脱臭粒子を充填する容器とを有する光触媒利用空気清浄装置において、前記脱臭粒子を前記容器内で撹拌する撹拌手段を設けたことを特徴とする光触媒を用いた空気清浄装置。
【請求項２】  前記撹拌手段として、ファンを用いたことを特徴とする請求項１記載の光触媒を用いた空気清浄装置。
【請求項３】  前記容器の下部に空気の流入する流入口と、上部に脱臭された空気を流出させる流出口を設け、前記ファンにより、空気を前記流入口から流入させ、かつ前記脱臭粒子を撹拌させることを特徴とする請求項１から２記載の光触媒を用いた空気清浄装置。」（【特許請求の範囲】）
　
（１ｂ）「【０００６】さらに、前記撹拌手段としてファンを用いるようにした。これにより、ファンによって作り出される空気の流れによる脱臭粒子の撹拌が可能となり、全ての脱臭粒子において万遍なく紫外線照射と臭気成分吸着とを行うことが可能となるため、効率的脱臭が可能となる。請求項２の発明である。・・・
【０００７】さらに、前記容器の下部に空気の流入する流入口を設け、上部に脱臭された空気を流出させる流出口を設け、前記ファンにより空気を前記流入口から流入させ、かつ前記脱臭粒子を撹拌させるようにした。これにより、ファンによる風力と、重力とにより、吹き上げられた脱臭粒子がよりランダムに撹拌されるため、より万遍のない撹拌が可能となり、全ての脱臭粒子において万遍なく紫外線照射と臭気成分吸着とを行うことが可能となるため、効率的脱臭が可能となる。請求項３の発明である。」（【０００６】〜【０００７】）
　
（１ｃ）「【００１３】
【実施例】図１は本発明の実施例である空気清浄装置の断面図である。図１に示すように、空気清浄装置１は、多数の脱臭粒子３が容器５に充填されており、容器５内中央部に紫外線光源２を通気方向と平行に備えている。さらに、ファン４を容器５下部に備えている。図１の脱臭粒子３は、ファン４からの送風による攪拌状態を示している。
【００１４】図１に示すように、ファン４により空気清浄装置に下方向から空気を送り込み、また同時にその風力で、容器５内の脱臭粒子３群を攪拌させる。その攪拌により、各脱臭粒子３が容器内を移動し、光源からの紫外線領域に移動した際、脱臭粒子３に含まれる光触媒を励起させることができる。また、各脱臭粒子３は、容器内のあらゆる方向にランダムに移動するため、臭気成分を含む空気へ衝突し、脱臭粒子３に含まれる吸着剤により臭気成分を吸着し、光触媒励起による触媒反応により臭気成分を分解する。」（【００１３】〜【００１４】）
　
（２）特開２０００−１４０６８８号公報（以下「引用例２」という。）
（２ａ）「【００１４】以下、本発明の実施の形態について、図面に基づいて説明する。
（実施の形態１）図１は、本発明にかかる一実施の形態の空気清浄器である。
【００１５】図において、１は本体内部の風路２に取り入れられた空気中の埃を除去するための除塵フィルタで、風路２内に設けられた送風用ファン３の吸気側に位置する。前記送風用ファン３はモータ（図示せず）などにより駆動される。放電素子４は前記送風用ファン３によって導かれる風路２内に設けられ、高電圧など（図示せず）により駆動される。集塵部５は、前記放電素子４に対して排気側に位置し、前記放電素子４により帯電した塵を取るために、前記放電素子４に対して逆電荷を発生するように電気的に駆動される。さらに、本体内の排気側に、前記放電素子４で副次的に発生したオゾンと空気中の臭気成分を分解するために、光触媒を担時した紫外線ランプ６が設けられている。そして、前記紫外線ランプ６の排気側に、オゾン濃度を検知するためのオゾンセンサ７が設けられ、本体内の前記送風用ファン３、放電素子４、集塵部５、オゾンセンサ７などを制御する制御回路８は、空気中の塵や臭気成分、オゾンなどの影響を受けないように、風路２外の本体内に設けられている。なお、前記送風用ファン３は、風路２内に空気を取り入れるためであり、前記除塵フィルタ１に対して、排気側に位置しておればよく、例えば、集塵部５と紫外線ランプ６の間や、オゾンセンサ７の排気側に設けてもよい。」（【００１４】〜【００１５】）
　
（３）特開昭６３−７７５５７号公報（以下「引用例３」という。）
（３ａ）「つぎに第３図は家庭、事務所、病院等で使用される本発明の空気清浄器の１例を示す概略図である。
　室内の汚染空気１０１はフアン１０２により吸引される。粗い粒子は粗フイルター１０３で除去される。微粒子は、紫外線ランプ１０４の照射を受けた光電子放出材としての網状の金属面１０５より放出される光電子により荷電される。紫外線ランプ近傍では、紫外線エネルギーや生成オゾン等により殺菌作用が保持される。臭気性ガスは生成オゾン等により分解され、脱臭される。荷電微粒子、残存オゾン及び場合によっては、未反応のリーク臭気性ガスは、後流のイオン交換フィルター１０６で捕集され、高清浄度な空気１０７が排出される。」（第６頁左下欄第１７行〜同頁右下欄第１１行）
　
（３ｂ）第３図には、紫外線ランプ１０４、網状の金属面１０５より吸気側に、ファン１０２を収容する室を有し、ファン１０２の吸気側に粗フィルター１０３を備えた空気清浄器の態様が示されている。
　
（４）特開２００２−２１０３３３号公報（以下「引用例４」という。）
（４ａ）「【００１１】本光触媒フィルター１は、図１に示されるように、一方端側に汚染空気または汚染水などの被処理流体の流入口２ａを備えるとともに、他方端側に被処理流体の流出口２ｂを備える収容ケーシング２内に、励起光によって励起される光触媒を担持した光触媒担持体３、３…を密に充填した構造のフィルターである。
【００１２】前記収容ケーシング２は、光触媒によって侵されない、例えばガラス、ステンレス、セラミック、合成樹脂等で且つ、鏡面で光を反射する材料を用いて成形された函体で、その内面には光触媒層２ｃが形成されている。また、前記流入口２ａ近傍位置には網状体などからなる透過性隔壁４が配設され、流入側チャンバ５が形成されているとともに、前記流出口２ｂ近傍位置にも同じく網状体などからなる透過性隔壁６が配設され、流出側チャンバ７が形成されている。
【００１３】前記収容ケーシング２の中心には、軸線に沿って励起用ランプ８が収容ケーシング２のほぼ長手方向全長に亘って配設されている。この励起用ランプ８としては、たとえば紫外線ランプ、キセノンランプ、ハロゲンランプなどの人工ランプを使用することができる。
【００１４】前記透過性隔壁４、６に挟まれた空間内には、光触媒担持体３、３…が密に充填されている。この光触媒担持体３は、詳細には図２に示されるように、励起光が透過する材料、例えば石英ガラス、ケイ酸ガラス、アルミナケイ酸ガラス、ホウケイ酸ガラス、透明樹脂などの材料を用いてこれを中空球体９に成形し、壁面に複数の穿孔９ａ、９ａ…を形成するとともに、中空球体９の内面および外面にそれぞれ光触媒層１０、１１を形成したものである。前記中空球体９の球径は５〜２０mm、好ましくは８〜１５mm程度が好適とされる。
【００１５】前記光触媒層１０、１１を形成する光触媒としては、例えば酸化チタン（TiO２）、チタン酸ストロンチウム（SrTiO３）、チタン酸バリウム（BaTi４O９）、チタン酸ナトリウム（Na２Ti６O１３）などの半導体を使用することができる。これらの中でも特に酸化チタン（TiO２）が好適に使用できる。前記光触媒層１０、１１の形成は、光触媒微粉末を分散させた塗料を中空球体９にゾルゲル法、スパッタリング法、溶射法などの適宜の方法によりコーティングし、これを加熱し焼成することにより堅固に固着することができる。」（【００１１】〜【００１５】）
　
（５）特開平６−２１８２３４号公報（以下「引用例５」という。）
（５ａ）「【００１７】次に、図３において、有害ガス除去装置３１は、四方が側壁により囲われた反応容器１２の上下面が金網３３で構成され、上下方向に通風可能な構造となっている。・・・
【００１８】反応容器１２の内部は水平な金網３８により上下３段に仕切られ、また垂直な仕切壁３９により前後・左右に３列に仕切られて、全部で２７個の小室１２ａに区画されている。各小室１２ａは更に水平な金網４０により上下に区切られ、その下部室には表面に光触媒を担持した多数の球状体４１が約半分の高さまで収容されている。・・・」（【００１７】〜【００１８】）
　
（５ｂ）「【００１９】球状体４１は直径が２０〜５０ｍｍ程度の合成樹脂製の中空のボールで構成され、その表面にはサブミクロンオーダに粉砕された二酸化チタン、活性炭及び鉄系金属酸化物の混合粉からなる光触媒が接着剤によりまぶすようにして付着させられている。・・・この空気は風圧で球状体４１を浮動させながら金網３３，３８，４０を通して反応容器１２内を下から上に通過し、排気ダクト３５から排出される。
・・・
【００２１】
・・・なお、球状体４１は実施例では中空体としたが、風圧により浮動する軽量のものであれば例えば多孔質体でもよく、また形状も完全な球形である必要はない。」（【００１９】〜【００２１】）
　
（６）特開２０００−３２７３１５号公報（以下「引用例６」という。）
（６ａ）「【０００２】・・・このような酸化チタンの光触媒機能（酸化分解機能）を利用して、酸化チタン膜を・・・脱臭剤・・・などとして使用することが行われている。しかし、酸化チタンそのものは、なんらかの物質をその表面に吸着する特性を有していないので、得られる酸化分解機能には限界がある。」（【０００２】）
　
（６ｂ）「【００１９】この本発明による金属修飾アパタイトの製造方法は、特にＴｉイオン交換ＣａＨＡＰの製造工程の前半部分を示す図３から容易に理解することができるであろう。・・・・目的とするＴｉイオン交換ＣａＨＡＰを得ることができる。これは、そのままで使用してもよく、あるいは適当な基材にスピンコートなどの塗布法、スパッタリングなどの蒸着法、その他の手法に従って適用して薄膜の形態となした後に使用してもよい。」（【００１９】）
　
（６ｃ）「【００２１】・・・Ｔｉイオン交換されたＣａＨＡＰ（以下、Ｔｉ−ＣａＨＡＰとも記す）・・・
【００２２】・・・
例３
光触媒活性の評価
・・・ＣａＨＡＰ（Ｘmetal ＝０）及びＴｉ−ＣａＨＡＰ（Ｘmetal ＝０．１）をそれぞれ同じ比表面積を有するタブレットに加圧成形して試料として使用した。合成空気で置換した密封デシケータを用意し、試料とアセトアルデヒド（ＣＨ3 ＣＨＯ）蒸気を気相濃度が２００ppm になるまで導入した。次いで、デシケータの上方から光量２．１２ｍＷの紫外線光を・・・照射した。デシケータ中におけるアセトアルデヒドガス及びその分解により発生した炭酸ガス（ＣＯ2 ）の濃度をガスクロマトグラフィにより測定したところ、ＣａＨＡＰ（Ｘmetal ＝０）からなる試料については図６にプロットするような結果が、また、Ｔｉ−ＣａＨＡＰ（Ｘmetal ＝０．１）からなる試料については図７にプロットするような結果がそれぞれ得られた。・・・
【００２３】図６及び図７にプロットした結果から理解されるように、比較例であるＣａＨＡＰ（Ｘmetal ＝０）からなる試料の場合には紫外線光の照射による炭酸ガスの濃度の増加はほとんど認めることができなかった。・・・。これに対して、本発明例であるＴｉ−ＣａＨＡＰ（Ｘmetal ＝０．１）からなる試料の場合、紫外線光の照射の都度に炭酸ガスの濃度の顕著な増加があり、優れた光触媒活性を有することが明らかとなった。」（【００２１】〜【００２３】）
　
　上記（１ａ）〜（６ｃ）の記載を、以下それぞれ「摘記事項１ａ」〜「摘記事項６ｃ」という。
　
　
４　引用刊行物１に記載された発明
（１）次に、引用刊行物１における、摘記事項１ａ〜１ｃについて、検討する。
　ア　摘記事項１ａの「容器の下部に空気の流入する流入口と、上部に脱臭された空気を流出させる流出口を設け」（【請求項３】）の記載によると、容器には、空気の流入口と流出口が設けられているから、容器は、空気が内部を通過することのできるものである。
　
　イ　摘記事項１ｂの「ファンによって作り出される空気の流れによる脱臭粒子の撹拌が可能となり」（【０００６】）の記載によると、脱臭粒子は、空気の流れにより撹拌可能なものである。
　
（２）したがって、引用刊行物１には、次の発明（以下、「引用発明１」という。）が記載されている。
「空気が内部を通過することのできる容器と、
　前記容器の下部に流入口と、
　前記容器内に設けられた紫外線光源と、 
　前記容器内に空気を通過させることによって前記容器内に空気の流れを発生させるための、流入口から空気を流入するように設けられたファンと、
　光触媒機能を有し、且つ、前記容器に収容されて前記空気の流れにより撹拌可能な光触媒を含む脱臭粒子と、を備えた空気清浄装置。」
　
　
５　対比・判断
（１）対比
　次に、本願発明と引用発明１を対比する。
　ア　引用発明１における「容器」、「空気の流れ」、「ファン」、「光触媒を含む脱臭粒子」及び「空気清浄装置」は、本願発明における「浄化室」、「気流」、「気流発生手段」、「光触媒粒体」及び「空気浄化装置」にそれぞれ相当する。
　
　イ　摘記事項（１ｃ）の「ファン４により空気清浄装置に下方向から空気を送り込み、また同時にその風力で、容器５内の脱臭粒子３群を攪拌させる。その攪拌により、各脱臭粒子３が容器内を移動し、・・・また、各脱臭粒子３は、容器内のあらゆる方向にランダムに移動する・・・」（【００１４】）の記載によると、引用発明１において、撹拌により脱臭粒子が並進および回転運動することは明らかである。これに対し、本願明細書の【００１５】の「本発明における光触媒粒体の変位とは、並進運動成分および／または回転運動成分を有する光触媒粒体の運動をいう。光触媒粒体の変位とは、例えば、光触媒粒体が乱舞することをいう。」の記載によると、本願発明における「変位」とは、並進運動成分および／または回転運動成分を有する光触媒粒体の運動である。よって、引用発明１における「撹拌可能」は、本願発明の「変位可能」に相当する。
　
　ウ　そうすると、両者は、
「空気が内部を通過することのできる浄化室と、
　前記浄化室内に設けられた紫外線光源と、
　前記浄化室内に空気を通過させることによって前記浄化室内に気流を発生させるための、気流発生手段と、
　光触媒機能を有し、且つ、前記浄化室に収容されて前記気流により変位可能な光触媒流体と、を備えた空気浄化装置。」で一致し、
次の相違点を有する。
　
（ア）相違点１
　本願発明では「浄化室に隣接する気流発生手段収容室」を備え、気流発生手段が「気流発生手段収容室内に設けられた」のに対し、引用発明１では、ファンは容器（浄化室）の下部に配置されているが、収容室内に設けられているのか明らかでない点。
　
（イ）相違点２
　本願発明は「前記浄化室と前記気流発生手段収容室との間はメッシュ材によって間仕切られており、前記気流発生手段収容室と装置外部は、前記メッシュ材に対向配置されたフィルタによって間仕切られており、前記気流発生手段は、前記気流発生手段収容室内において前記メッシュ材と前記フィルタとの間に配設されており」としているのに対し、引用発明１では、メッシュ材、フィルターに関する特定がされていない点。
　
（ウ）相違点３
　本願発明は「前記光触媒粒体は、担体粒子と、当該担体粒子に固定された光触媒物質と、を含み、前記光触媒物質は、カルシウムハイドロキシアパタイトのＣａの一部がＴｉで置換された化学構造を有する光触媒アパタイトであ」るのに対し、引用発明１は、そのような光触媒粒体に関する特定がされていない点。
　
（エ）相違点４
　本願発明は「前記浄化室の内壁面には、光反射膜が設けられている」のに対し、引用発明１は浄化室の内壁面に関する特定がされていない点。
　
　
（２）判断
　　次に、上記相違点について、検討する。
　
　ア　相違点１について 
　引用例２の摘記事項２ａの「（実施の形態１）図１は、本発明にかかる一実施の形態の空気清浄器である。
・・・図において、１は本体内部の風路２に取り入れられた空気中の埃を除去するための除塵フィルタで、風路２内に設けられた送風用ファン３の吸気側に位置する。・・・さらに、本体内の排気側に、前記放電素子４で副次的に発生したオゾンと空気中の臭気成分を分解するために、光触媒を担時した紫外線ランプ６が設けられている。」（【００１４】及び【００１５】）の記載によると、引用例２には、空気清浄器において、臭気成分を分解する手段の吸気側に、送風用ファン３を収容する室を有するものが記載されている。
　また、引用例３の摘記事項３ａの「紫外線ランプ近傍では、紫外線エネルギーや生成オゾン等により殺菌作用が保持される。臭気性ガスは生成オゾン等により分解され、脱臭される。」（６頁右下欄５行〜８行）の記載、及び、摘記事項３ｂによると、引用例３には、紫外線ランプ１０４等の臭気性ガスを分解する手段の吸気側に、ファン１０２を収容する室を設けたものが記載されている。
　そして、引用発明１におけるファンは、容器の下部に設けられるものであるから、引用発明１において、容器の下部に設けるために、容器に隣接する収容室にファンを収容することは、当業者が適宜なし得る事項である。
　
　イ　相違点２について
　引用例２の摘記事項２ａの「１は本体内部の風路２に取り入れられた空気中の埃を除去するための除塵フィルタで、風路２内に設けられた送風用ファン３の吸気側に位置する。・・・なお、前記送風用ファン３は、風路２内に空気を取り入れるためであり、前記除塵フィルタ１に対して、排気側に位置しておればよく、・・・」（【００１５】）の記載によると、引用例２には、本体内部の送風用ファン３と本体外部との間に除塵フィルタ１が設けられたものが記載され、また、引用例３には、摘記事項３ｂのとおり、ファンの吸気側に粗フィルターを備えた空気清浄器の態様が記載されており、ファンにより、本体内部の空気清浄手段に空気を取り入れる前に、粗フィルターで除塵する手段が知られている。
　また、引用例４の摘記事項４ａの「本光触媒フィルター１は、・・・一方端側に汚染空気・・・の被処理流体の流入口２ａを備える・・・収容ケーシング２内に、・・・光触媒担持体３、３…を密に充填した構造のフィルターである。・・・前記流入口２ａ近傍位置には網状体などからなる透過性隔壁４が配設され」（【００１１】及び【００１２】）の記載、引用例５の摘記事項５ａの「有害ガス除去装置３１は、四方が側壁により囲われた反応容器１２の上下面が金網３３で構成され、上下方向に通風可能な構造となっている。・・・反応容器１２の内部は水平な金網３８により上下３段に仕切られ、・・・各小室１２ａは更に水平な金網４０により上下に区切られ、その下部室には表面に光触媒を担持した多数の球状体４１が約半分の高さまで収容されている。」（【００１７】及び【００１８】）の記載によると、引用例４及び５には、光触媒粒子が収容される室を有する空気清浄器において、空気の流入口に網状体を設けて、光触媒粒子が外部に流出しないようにしたものが記載されている。
　よって、引用発明１において、粉塵が空気清浄器内に流入しないように、ファンと容器とのフィルタを設けるとともに、光触媒粒子を容器の外部に流出しないようにするために、収容室の空気流入口に網状体であるメッシュ材を設けることは、当業者が容易になし得るものである。
　
　ウ　相違点３について
　引用例６の摘記事項６ａの「酸化チタンの光触媒機能（酸化分解機能）を利用して、酸化チタン膜を・・・脱臭剤・・・などとして使用することが行われている。しかし、酸化チタンそのものは、なんらかの物質をその表面に吸着する特性を有していないので、得られる酸化分解機能には限界がある。」（【０００２】）及び、摘記事項６ｃの「光触媒活性の評価
・・・Ｔｉ−ＣａＨＡＰ（Ｘmetal ＝０．１）を・・・試料として使用した。合成空気で置換した密封デシケータを用意し、試料とアセトアルデヒド（ＣＨ3 ＣＨＯ）蒸気を・・・導入した。次いで、デシケータの上方から・・・紫外線光を・・・照射した。デシケータ中におけるアセトアルデヒドガス及びその分解により発生した炭酸ガス（ＣＯ2 ）の濃度をガスクロマトグラフィにより測定したところ、・・・本発明例であるＴｉ−ＣａＨＡＰ（Ｘmetal ＝０．１）からなる試料の場合、紫外線光の照射の都度に炭酸ガスの濃度の顕著な増加があり、優れた光触媒活性を有することが明らかとなった。」（【００２２】及び【００２３】）の記載によると、Ｔｉ−ＣａＨＡＰ（Ｔｉイオン交換されたＣａＨＡＰ）は、アセトアルデヒドガスを分解する優れた光触媒であり、脱臭剤として用いられる光触媒である酸化チタンよりも酸化分解能力を高めたものである。
　そして、引用例４の摘記事項４ａの「この光触媒担持体３は、・・・透明樹脂などの材料を用いてこれを中空球体９に成形し、・・・中空球体９の内面および外面にそれぞれ光触媒層１０、１１を形成したものである。・・・前記光触媒層１０、１１の形成は、光触媒微粉末を分散させた塗料を中空球体９にゾルゲル法、スパッタリング法、溶射法などの適宜の方法によりコーティングし、これを加熱し焼成することにより堅固に固着することができる。」（【００１４】及び【００１５】）の記載、及び、引用例５の摘記事項５ｂの「球状体４１は・・・合成樹脂製の中空のボールで構成され、その表面には・・・二酸化チタン、活性炭及び鉄系金属酸化物の混合粉からなる光触媒が接着剤によりまぶすようにして付着させられている。」（【００１９】）の記載によると、光触媒粒子としては、樹脂などの球状体に光触媒物質を担持させたものが知られている。
　したがって、引用発明１の光触媒粒体において、その光触媒物質として、カルシウムハイドロキシアパタイトのＣａの一部がＴｉで置換された化学構造を有するものを選択するとともに、樹脂粒子に担持させることは、当業者が容易になし得る事項である。
　
　エ　相違点４について
　光触媒を用いた空気清浄装置において、ハウジングの内壁面を光反射材料で構成して、光触媒への光の照射効率を高めることは、周知技術である。例えば、摘記事項４ａの「前記収容ケーシング２は、光触媒によって侵されない、例えばガラス、ステンレス、セラミック、合成樹脂等で且つ、鏡面で光を反射する材料を用いて成形された函体で、その内面には光触媒層２ｃが形成されている。・・・前記収容ケーシング２の中心には、・・・励起用ランプ８が・・・配設されている。」（【００１２】及び【００１３】）の記載によると、引用例４には、内壁を鏡面で光を反射するものが記載されており、また、周知文献１ないし３には、内壁面に光反射膜を設けたものが記載されている。
　そして、引用発明１は、摘記事項１ｂの「全ての脱臭粒子において万遍なく紫外線照射・・・とを行うことが可能となる」（【０００７】）ことも目的としている。
　よって、引用発明１において、光触媒への光の照射効率を高めるために、容器の内壁面に光反射膜を設けることは当業者が適宜採用し得る設計的事項である。
　
　
（ア）周知文献１：特開２０００−１０７２７６号公報（下線は、当審において付した。）
（周１−１）「【００２０】本発明の
筒状筐体は、その内面に光反射物質の薄膜を塗布、貼り付け、箔押し、メッキなどの方法で形成し
　
（周１−２）「【００２８】実施例１
図１に示すように、本発明の一実施例を示す空気清浄化装置は、内面が紫外光反射板性である円筒形状の筐体１、円筒形状の筐体内に設置された円筒形の通気性光触媒部材２、円筒形の通気性光触媒部材２の中心部に設置された紫外線ランプ３、筐体１の内部で通気性光触媒部材２の下部に設置された送風機４より構成される。・・・
【００３１】
筐体１の内面にはアルミニウム製の紫外光反射箔５が貼り付けられており
　
（イ）周知文献２：特開２００１−１４５６９２号公報（下線は、当審において付した。）
（周２−１）「【００１１】
【発明の実施の形態】・・・図１は本例の集塵ユニットＡの一部を省略して表す斜視図で、図中１は筒状ケースを示し、該
ケース１は
円筒体の内面に金属被膜を形成して紫外線の反射面２としたもの
反射面２は、円筒体の内面に例えばアルミニウムやクロム等の薄膜を形成したものである。
　
（周２−２）「【００１８】加えて、殺菌灯８から照射された紫外線が、・・・筒状ケース１内面の反射面２により乱反射することで、流路５内における照射効率が高まり、前述の殺菌、滅菌、脱臭作用及び分解処理作用が極めて効果的に行われるようになる。」（【００１８】）
　
（ウ）周知文献３：特開２００１−３８１５１号公報（下線は、当審において付した。）
（周３）「【００２６】・・・光触媒と光触媒を担持する基材とからなる光触媒体と、前記光触媒体に紫外線を照射する光源と、を有する空気浄化装置において、前記光源を空気流通経路の略中央かつ空気流通方向と略平行に配置し、前記光触媒体を前記光源の周囲に放射線形状に配置し、前記光源から発せられた紫外線を反射する反射要素部を空気流通経路の壁面に配置したことを特徴とする。
【００２７】・・・本発明の構造をとることにより、光源から発せられた紫外線を効率よく光触媒体へ供給することができるため、悪臭・菌類の分解能力を上げることができる。
反射要素部は、
鋼板や樹脂にアルミを表面に蒸着したもの、鋼板や樹脂に白色の塗装をしたもの
鋼板や樹脂に銀を蒸着したもの
　
（３）まとめ
　したがって、引用発明１において、前記相違点１ないし４に係る発明特定事項とすることは、当業者が容易に想到し得るものであり、そのことによる作用効果も当業者が予測しうる程度のものである。
　
　
６　むすび
　以上のとおり、本願発明は、引用発明１、引用例２ないし６に記載された事項、及び、周知技術に基いて当業者が容易に発明をすることができたものであるから、特許法第２９条第２項の規定により特許を受けることができない。
　したがって、他の請求項に係る発明について検討するまでもなく、本願は拒絶すべきものである。
　よって、結論のとおり審決する。